(57)【要約】【課題】確実に伝えたい相手にメッセージを伝えることができるメッセージの収録及び再生システム及びメッセージの収録及び再生方法を提供する。【解決手段】本発明に係るメッセージの収録及び再生システムは、電子装置の中にインストールされて実行され、入力装置を利用してユーザからのメッセージを収録し、且つ記憶装置を介して前記メッセージを記憶するメッセージ記録モジュールと、検出装置を介してその検出範囲以内にいるユーザの身分を検出する検出モジュールと、出力装置を介して識別したユーザに関するメッセージを自動或いは手動で出力する再生モジュールと、を備える。【選択図】図５
2014116941.tif 000002
【特許請求の範囲】
【請求項１】
電子装置の中にインストールされて実行され、且つ
入力装置を利用してユーザからのメッセージを収録し、且つ記憶装置を介して前記メッセージを記憶するメッセージ記録モジュールと、
検出装置を介して、その検出範囲以内にあるユーザの身分を検出する検出モジュールと、
出力装置を介して、識別したユーザに関するメッセージを自動或いは手動で出力する再生モジュールと、を備えることを特徴とするメッセージの収録及び再生システム。
【請求項２】
前記入力装置は、オーディオ入力装置及び／或いはビデオ入力装置を含み、
前記記憶装置は、ネットワークを介して前記電子装置に接続されるクラウドサーバであり、
前記検出装置は、人面認識装置、音声認識装置及び指紋識別装置等の身分識別機能を有する装置であることを特徴とする請求項１に記載のメッセージの収録及び再生システム。
【請求項３】
前記メッセージ記録モジュールは、メッセージ送信者が選択したメッセージ送信者のユーザＩＤ及びメッセージ受信者のユーザＩＤを記録し、メッセージ送信者からのメッセージを受信した後に、前記メッセージのメッセージＩＤを生成し、且つ前記メッセージの内容を前記記憶装置の中に格納させ、及び前記メッセージＩＤ及びメッセージ送信者のユーザＩＤを前記メッセージ受信者のユーザＩＤに対応するメッセージリストの中に加え、且つ前記メッセージリストの中で前記メッセージの状態を未読にすることにも用いられることを特徴とする請求項１に記載のメッセージの収録及び再生システム。
【請求項４】
前記検出モジュールは、前記検出装置がユーザを検出した場合、検出したユーザの人物特徴を識別し、且つ前記記憶装置の中に記憶されている人物特徴と比較することで、前記検出したユーザのＩＤを確定し、及び前記ユーザのＩＤに対応するメッセージリストの中に未読状態のメッセージが存在するかどうかを検出するためにも用いられ、
前記再生モジュールは、前記記憶装置の中からあらゆる未読状態のメッセージに対応する内容を取り出して、前記出力装置を介して各メッセージの内容を自動一つ一つ再生するためにも用いられ、
前記メッセージ記録モジュールは、全てのメッセージ内容の再生を終えた後に、前記メッセージリストの中で対応するメッセージの状態を既読に変更するためにも用いられることを特徴とする請求項３に記載のメッセージの収録及び再生システム。
【請求項５】
前記検出モジュールは、ユーザが送信するメッセージ調査要求を受信したかどうかを判断し、ユーザからのメッセージ調査要求を受信すると、前記検出装置を介して前記ユーザの人物特徴を識別し、且つ前記記憶装置の中に記憶されている人物特徴と比較して、当該ユーザのＩＤを確定し、及び前記ユーザのＩＤに対応するメッセージリストを獲得し、且つ前記出力装置を介して前記メッセージリストの中のあらゆるメッセージを表示し、且つユーザが少なくとも１つのメッセージを選択したかどうかを判断するためにも用いられ、
前記再生モジュールは、前記記憶装置の中からユーザにより選択されたメッセージに対応する内容を取り出して、前記出力装置を介して前記選択されたメッセージに対応する内容を一つ一つ再生するためにも用いられ、
前記メッセージ記録モジュールは、前記メッセージリストの中で再生されたメッセージの状態を既読に変更するためにも用いられることを特徴とする請求項３に記載のメッセージの収録及び再生システム。
【請求項６】
入力装置を利用してユーザからのメッセージを収録し、且つ記憶装置を介して前記メッセージを記憶するメッセージ記録ステップと、
検出装置を介してその検出範囲以内にあるユーザの身分を検出する検出ステップと、
出力装置を介して、識別したユーザに関するメッセージを自動或いは手動で出力する再生ステップと、
を備えることを特徴とするメッセージの収録及び再生方法。
【請求項７】
前記入力装置は、オーディオ入力装置及び／或いはビデオ入力装置を含み、
前記記憶装置は、ネットワークを介して前記電子装置に接続されるクラウドサーバであり、
前記検出装置は、人面認識装置、音声認識装置及び指紋識別装置等の身分識別機能を有する装置であることを特徴とする請求項６に記載のメッセージの収録及び再生方法。
【請求項８】
前記メッセージ記録ステップは、メッセージ送信者が選択したメッセージ送信者のユーザＩＤ及びメッセージ受信者のユーザＩＤを記録し、
メッセージ送信者からのメッセージを受信した後に、前記メッセージのメッセージＩＤを生成し、且つ前記メッセージの内容を前記記憶装置の中に格納させ、及び
前記メッセージＩＤ及びメッセージ送信者のユーザＩＤを前記メッセージ受信者のユーザＩＤに対応するメッセージリストの中に加え、且つ前記メッセージリストの中で前記メッセージの状態を未読にすることを特徴とする請求項６に記載のメッセージの収録及び再生方法。
【請求項９】
前記検出ステップは、前記検出装置がユーザを検出した場合、検出したユーザの人物特徴を識別し、且つ前記記憶装置の中に記憶されている人物特徴と比較することで、前記検出したユーザのＩＤを確定し、及び前記ユーザのＩＤに対応するメッセージリストの中に未読状態のメッセージが存在するかどうかを検出することを含み、
前記再生ステップは、前記記憶装置の中からあらゆる未読状態のメッセージに対応する内容を取り出して、前記出力装置を介して各メッセージの内容を自動で一つ一つ再生し、且つ全てのメッセージ内容を再生し終えた後に、前記メッセージリストの中で対応するメッセージの状態を既読に変更することを含むことを特徴とする請求項８に記載のメッセージの収録及び再生方法。
【請求項１０】
前記検出ステップは、ユーザが送信するメッセージ調査要求を受信したかどうかを判断し、ユーザからのメッセージ調査要求を受信すると、前記検出装置を介して前記ユーザの人物特徴を識別し、且つ前記記憶装置の中に記憶されている人物特徴と比較して、当該ユーザのＩＤを確定し、及び前記ユーザのＩＤに対応するメッセージリストを獲得し、且つ前記出力装置を介して前記メッセージリストの中のあらゆるメッセージを表示し、且つユーザが少なくとも１つのメッセージを選択したかどうかを判断することをさらに含み、
前記再生ステップは、前記記憶装置の中からユーザにより選択されたメッセージに対応する内容を取り出して、前記出力装置を介して前記選択されたメッセージに対応する内容を一つ一つ再生し、及び前記メッセージリストの中で再生されたメッセージの状態を既読に変更することをさらに含むことを特徴とする請求項９に記載のメッセージの収録及び再生方法。
【発明の詳細な説明】
【技術分野】
【０００１】
本発明は、通信技術分野に関し、特にメッセージの収録及び再生システム並びにメッセージ収録及び再生方法に関するものである。
【背景技術】
【０００２】
現在、外出する際に、家族等にメッセージを伝えたい場合、通常、メモを残すかまたは直接電話をかける。しかし、メモに書くという伝言方式は、相手はメモに気づきにくい。また、電話をかけるという伝言方式は、相手が電話にでない場合がある。つまり、これらの方式は、確実に伝えたい相手にメッセージを伝えることを保証できない。例を挙げると、母親にメッセージを伝えるために、母親にメモを残す或いは自宅に電話をかけるが、母親はメモや電話に気づかない場合があり、この際、父親がメモを見る或いは電話に出る可能性がある。つまり、従来の伝言方式では、確実に伝えたい相手に伝えることができない。
【発明の概要】
【発明が解決しようとする課題】
【０００３】
そこで、本発明は上記の問題点を考慮した上で、確実に伝えたい相手にメッセージを伝えることができるメッセージの収録及び再生システム及びメッセージの収録及び再生方法を提供することを目的とする。
【課題を解決するための手段】
【０００４】
上記の目的を達成するために、本発明に係るメッセージの収録及び再生システムは、電子装置の中にインストールされて実行され、入力装置を利用してユーザからのメッセージを収録し、且つ記憶装置を介して前記メッセージを記憶するメッセージ記録モジュールと、検出装置を介してその検出範囲以内のユーザの身分を検出する検出モジュールと、出力装置を介して識別したユーザに関するメッセージを自動或いは手動で出力する再生モジュールと、を備える。
【０００５】
また、本発明に係るメッセージの収録及び再生方法は、入力装置を利用してユーザからのメッセージを収録し、且つ記憶装置を介して前記メッセージを記憶するメッセージ記録ステップと、検出装置を介してその検出範囲以内のユーザの身分を検出する検出ステップと、出力装置を介して、識別したユーザに関するメッセージを自動或いは手動で出力する再生ステップと、を備える。
【発明の効果】
【０００６】
従来の技術と異なり、本発明のメッセージの収録及び再生システム並びにメッセージの収録及び再生方法は、身分識別技術を利用して、メッセージ聴取者の身分を確定でき、且つメッセージ送信者に関するメッセージを自動的に再生することができるため、確実に伝えたい相手にメッセージを伝えることができ、ユーザにさらにいい生活体験をもたらすことができる。
【図面の簡単な説明】
【０００７】
【図１】本発明の実施形態に係るメッセージの収録及び再生システムのハードウェアの構成を示す図である。
【図２】本発明の実施形態に係るメッセージの収録及び再生システムの機能モジュールを示す図である。
【図３】本発明の実施形態に係るメッセージを収録する方法のフローチャートである。
【図４】本発明の実施形態に係るメッセージの収録及び再生システムのメッセージリストを示す図である。
【図５】本発明の実施形態に係るメッセージを自動的に再生する方法のフローチャートである。
【図６】本発明の実施形態に係るメッセージを手動で再生する方法のフローチャートである。
【発明を実施するための形態】
【０００８】
図１に示すように、本発明の実施形態に係るメッセージの収録及び再生システム１０は、電子装置１の中で実行される。電子装置１は、スマートフォン、パソコン、タブレットパソコン及びスマートテレビ等であり、且つ入力装置１１と、記憶装置１２と、検出装置１３と、出力装置１４と、を備える。
【０００９】
入力装置１１は、マイク及びレコーダー等のオーディオ入力装置であるか又はカメラ等のビデオ入力装置である。記憶装置１２は、スマートメディアカード、セキュアデジタルカード（ｓｅｃｕｒｅ  ｄｉｇｉｔａｌ  ｃａｒｄ）、フラッシュメモリーカード等であっても良い。検出装置１３は、人面認識装置、音声認識装置及び指紋識別装置等の身分識別機能を有する装置である。出力装置１４は、表示ディスプレイ及びスピーカー等のビデオ或いはオーディオを出力することができる装置である。
【００１０】
また、電子装置１は、ネットワーク２を介してクラウドサーバ３に接続されて、自身に設置されている記憶装置１２に代わって、メッセージのオンラインストレージ（ｏｎｌｉｎｅ  ｓｔｏｒａｇｅ）を実現する。
【００１１】
図２に示すように、本発明のメッセージの収録及び再生システム１０は、メッセージ記録モジュール１００と、検出モジュール１０１と、再生モジュール１０２と、を備える。上記のモジュール１００〜１０２は、電子装置１のハードディスクの中に格納され、且つ電子装置１の中央処理装置（ＣＰＵ）により実行される。
【００１２】
メッセージ記録モジュール１００は、入力装置１１を介してユーザからのメッセージを収録し、且つ記憶装置１２を介して前記メッセージを記憶する。この収録動作は、録音或いは録画である。即ち、前記メッセージは、オーディオ又はビデオである。
【００１３】
検出モジュール１０１は、検出装置１３を介してその検出範囲内にいるユーザの身分を検出する。
【００１４】
再生モジュール１０２は、出力装置１４を介して、識別したユーザに関するメッセージを自動或いは手動で出力する。
【００１５】
以下、図３を参照しながら、本発明の実施形態に係るメッセージを収録する方法のフローチャートについて詳細に説明する。また必要に応じて、前記フローチャートの中のステップの順序を変更する又はいくつかのステップを省略することができる。
【００１６】
ステップＳ１０において、メッセージ記録モジュール１００は、メッセージ送信者が選択したメッセージ送信者のユーザＩＤ及びメッセージ受信者のユーザＩＤを記録する。本実施形態において、メッセージ記録モジュール１００は、電子装置１の表示ディスプレイ（出力装置１４）においてインターフェースを提供して、あらゆるユーザＩＤを表示する。メッセージ送信者は、前記インターフェースを介して自分のユーザＩＤ及びメッセージ受信者のユーザＩＤを選択する。メッセージ送信者は、１つ或いは複数のユーザＩＤを選択してメッセージ受信者のユーザＩＤとし、又はパブリック（ｐｕｂｌｉｃ）を選択してメッセージ受信者のユーザＩＤとすることができる。パブリックを選択する場合、メッセージ受信者はあらゆる人である。
【００１７】
ステップＳ１１において、メッセージ記録モジュール１００は、入力装置１１を介してメッセージ送信者からのメッセージを受信して、前記メッセージのメッセージＩＤを生成して、前記メッセージの内容を記憶装置１２の中に格納させる。前記メッセージは、ビデオメッセージ又は単一の音声メッセージであって良い。前記メッセージＩＤは、ランダムな番号或いは順序に従った数字である。図４に示すように、記憶装置１２は、メッセージの内容を記憶するためのメッセージ内容記憶ユニット１２０を含む。例えば、メッセージ内容記憶ユニット１２０は、メッセージＩＤがａであるメッセージの内容ＸＸＸＸＸＸＸＸＸＸＸ及びメッセージＩＤがｂであるメッセージの内容ＹＹＹＹＹＹＹＹＹＹＹを記憶する。
【００１８】
ステップＳ１２において、メッセージ記録モジュール１００は、前記メッセージＩＤ及びメッセージ送信者のユーザＩＤを、選択されたメッセージ受信者のユーザＩＤに対応するメッセージリストの中に加え、且つ前記メッセージリストの中で前記メッセージの状態を未読と標示する。図４に示すように、記憶装置１２は、あらゆるユーザのメッセージリスト１２２〜１２ｎをさらに含む。各ユーザのメッセージリストは、複数の書き込み記録を含む。各書き込み記録は、メッセージＩＤ、メッセージ送信者のユーザＩＤ、メッセージ時間及びメッセージの状態などを含む。前記メッセージ時間とは、メッセージを加える時間のことである。前記メッセージの状態は、未読及び既読に分けられる。
【００１９】
図５に示すように、本発明の実施形態に係るメッセージの自動再生方法は、以下のステップＳ２０〜Ｓ２４を含む。また上述のように、前記フローチャートの中のステップの順序を変更する又はいくつかのステップを省略することができる。
【００２０】
ステップＳ２０において、検出モジュール１０１は、検出装置１３を利用して、その検出範囲以内にユーザがいるかどうかを判断する。具体的には、人面認識装置が人面を認識した時、音声認識装置が音声信号を受信した時、或いは指紋識別装置が指紋情報を受信した時に、検出モジュール１０１は、ユーザが検出範囲内にいると判断する。
【００２１】
ステップＳ２１において、検出モジュール１０１は、検出装置１３を介して検出されたユーザの人物特徴を識別し、且つ記憶装置１２の中に記憶されている人物特徴と比較して、当該ユーザのＩＤを確定する。図４に示すように、記憶装置１２は、各ユーザのユーザＩＤ及び対応する人物の特徴を記憶するためのユーザデータ記憶ユニット１２１をさらに備える。
【００２２】
ステップＳ２２において、検出モジュール１０１は、前記ユーザＩＤに対応するメッセージリストの中に未読状態と標示されたメッセージがあるかどうかを検出する。少なくとも１つの未読状態のメッセージが存在する場合、下記のステップＳ２３を実行する。これとは逆に、未読状態のメッセージが存在しなければ、流れはここで終了する。
【００２３】
ステップＳ２３において、再生モジュール１０２は、記憶装置１２の中からあらゆる未読状態と標示されたメッセージに対応する内容を取り出して、出力装置１４を介して全ての内容を自動で一つ一つ再生する。
【００２４】
ステップＳ２４において、メッセージ記録モジュール１００は、全てのメッセージの内容が再生された後に、前記メッセージリストの中の対応するメッセージの状態を既読にする。
【００２５】
図６に示すように、本発明の実施形態に係るメッセージの手動再生方法は、以下のステップＳ３０〜Ｓ３６を含む。上述のように、前記フローチャートの中のステップの順序を変更する又はいくつかのステップを省略することができる。
【００２６】
ステップＳ３０において、検出モジュール１０１は、ユーザが送信したメッセージ調査要求を受信したかどうかを判断する。本実施形態において、メッセージの収録及び再生システム１０は、実体のボタン或いは仮想のボタンを提供する。ユーザが、前記ボタンを押すと、検出モジュール１０１に操作信号が送信され、該検出モジュール１０１が前記操作信号を受信すると、ユーザからのメッセージ調査要求を受信したと判断し、且つ下記のステップＳ３１を実行する。
【００２７】
ステップＳ３１において、検出モジュール１０１は、検出装置１３を介してユーザの人物の特徴を識別し、且つ記憶装置１２の中に記憶されている人物の特徴と比較して、当該ユーザのＩＤを確定する。
【００２８】
ステップＳ３２において、検出モジュール１０１は、前記ユーザのＩＤに対応するメッセージリストを獲得して、出力装置１４を介して前記メッセージリストの中のあらゆるメッセージを表示する。
【００２９】
ステップＳ３３において、検出モジュール１０１は、ユーザが前記メッセージリストの中から少なくとも１つのメッセージを選択したかどうかを判断する。少なくとも１つのメッセージを選択した場合、下記のステップＳ３４を実行し、流れはここで終了する。
【００３０】
ステップＳ３４において、再生モジュール１０２は、記憶装置１２の中から選択されたメッセージに対応する内容を取り出して、出力装置１４を介して前記メッセージの内容を再生する。
【００３１】
ステップＳ３５において、メッセージ記録モジュール１００は、再生されているメッセージの状態が未読であるかどうかを判断する。未読でない場合、流れはここで終了する。未読である場合、下記のステップＳ３６を実行する。
【００３２】
ステップＳ３６において、メッセージ記録モジュール１００は、前記メッセージリストの中で再生されたメッセージの状態を既読にする。
【符号の説明】
【００３３】
１  電子装置
２  ネットワーク
３  クラウドサーバ
１０  メッセージの収録及び再生システム
１１  入力装置
１２  記憶装置
１３  検出装置
１４  出力装置
１００  メッセージ記録モジュール
１０１  検出モジュール
１０２  再生モジュール
１２０  メッセージ内容記憶ユニット
１２１  ユーザデータ記憶ユニット
１２２〜１２ｎ  メッセージリスト
【図１】
2014116941.tif 000003
【図２】
2014116941.tif 000004
【図３】
2014116941.tif 000005
【図４】
2014116941.tif 000006
【図５】
2014116941.tif 000007
【図６】
2014116941.tif 000008